(57)【要約】【課題】  パチンコ機の梱包を容易にする。【解決手段】  収納ケース５０は、収納ボックス５１、上蓋５２、下蓋５３、固定ユニット５４を備える。収納ボックス５１は、平面板５１ａ、上周壁部５１ｂ、下周壁部５１ｃを備える。平面板５１ａに、裏セットユニット挿通孔５１ｄ、貯留タンク挿通孔５１ｅを形成する。上周壁部５１ｂを貯留ユニット９よりも高く立設する。下周壁部５１ｃを貯留タンク１５及び裏セットユニット１８よりも高く立設する。上周壁部５１ｂの先端面の四隅に係合凸部５１ｇを、下周壁部５１ｃの先端面の四隅に係合凹部５１ｈを形成する。上蓋５２の下面の四隅に挿入凹部５２ａを、下蓋５３の上面の四隅に挿入凸部５３ａを形成する。固定ユニット５４を、収納ボックス５１の左右それぞれの側面と、上蓋５２の左右ぞれぞれの側面とに計４個取り付ける。【選択図】        図９
2006001596.tif 000002
【特許請求の範囲】
【請求項１】
遊技盤を支持する本体部と、前記本体部の前面側に突出して設けられた前面突出体と、前記本体部の後面側に突出して設けられた後面突出体とを備え、遊技球を用いて遊技を行う弾球遊技機を収納する収納ケースであって、
前記本体部の前面または後面が載置される載置面部を有する板状に形成され、前記前面突出体と前記後面突出体との一方を挿通する挿通孔部が形成された底板と、
前記底板の前記載置面部側の面の外周部に前記前面突出体と前記後面突出体との他方よりも高く立設された第１周壁部と、
前記底板の前記載置面部側とは反対側の面の外周部に前記前面突出体と前記後面突出体との一方よりも高く立設された第２周壁部と、を有するケース本体を備え、
前記第１周壁部の先端面と前記第２周壁部の先端面との一方には係合凸部が、他方には前記係合凸部が挿入可能な係合凹部が設けられていることを特徴とする収納ケース。
【請求項２】
前記ケース本体に収納した前記弾球遊技機を前記底板とともに挟持する挟持位置及び前記挟持位置から退避した退避位置の間で変位する変位部材と、
前記変位部材を前記挟持位置に向けて付勢する付勢部と、を備えたことを特徴とする請求項１記載の収納ケース。
【請求項３】
前記第１周壁部に設けられた前記係合凸部または前記係合凹部に係合する第１係合部を有し、前記底板と前記第１周壁部とで形成された第１収納部を覆う第１蓋部材と、
前記第２周壁部に設けられた前記係合凸部または前記係合凹部に係合する第２係合部を有し、前記底板と前記第２周壁部とで形成された第２収納部を覆う第２蓋部材と、を備えたことを特徴とする請求項１または２記載の収納ケース。
【請求項４】
複数の前記ケース本体同士を、または、前記第１蓋部材及び前記第２蓋部材の一方と前記ケース本体とを固定する固定部を備え、
前記固定部は、板状に形成され、一方の先端部が前記ケース本体、前記第１蓋部材及び前記第２蓋部材に設けられた回動軸に軸支される本体板と、
前記ケース本体、前記第１蓋部材及び前記第２蓋部材に設けられた雌ネジに螺合する雄ネジと、
前記本体板の他方の先端部に設けられ、短手方向が前記雄ネジの頭部の径よりも小さい長孔状に形成された雄ネジ挿通孔と、
前記本体板に前記雄ネジ挿通孔を囲み且つ前記雄ネジよりも低く立設され、前記雄ネジ挿通孔の短手方向において前記雄ネジの頭部の径よりも僅かに大きい間隔で互いに対向する第１対向壁及び第２対向壁、前記雄ネジ挿通孔の長手方向においてこの長手方向の長さよりも僅かに大きい間隔で互いに対向する第３対向壁及び第４対向壁を有するネジ周壁部と、
前記ネジ周壁部の先端面に設けられ、前記本体板と前記ネジ周壁部とで形成されたネジ収納部を覆うとともに、前記雄ネジの頭部の径よりも小さく且つ前記雄ネジを操作する操作工具が挿通可能な長孔状の操作孔が前記雄ネジ挿通孔に沿って形成された収納蓋部と、を有することを特徴とする請求項３記載の収納ケース。
【発明の詳細な説明】
【技術分野】
【０００１】
本発明は、パチンコ店等の遊技場に設置して使用されるパチンコ機等の弾球遊技機を収納する収納ケースに関するものである。
【背景技術】
【０００２】
現在、遊技場に設置されるパチンコ機は、図柄可変表示装置や制御回路基板が組み付けられた裏セット板と称される支持体、遊技盤、ガイドレール枠を備えた遊技盤ユニットが本体枠に取り付けられている。遊技盤ユニットは、ガイドレール枠を遊技盤の前面に取り付け、裏セット板を遊技盤の裏面に取り付けた構成となっている。遊技盤の前面側には、遊技盤の遊技領域を視認可能とする前面扉が設けられ、この前面扉は本体枠に保持される。本体枠の前面側の下側端部には、遊技領域に打ち出すパチンコ球の打ち出し強さを調整する操作ハンドルと、遊技領域に打ち出すためのパチンコ球を貯留する貯留皿とが取り付けられている。また、本体枠の裏面側の上側端部には、遊技盤に設けられた始動入賞口にパチンコ球が入ったとき等に、貯留皿に払いだすためのパチンコ球を貯留する貯留タンクが取り付けられている。
【発明の開示】
【発明が解決しようとする課題】
【０００３】
しかしながら、操作ハンドル及び貯留皿は本体枠の前面から、制御回路基板及び貯留タンクは本体枠の裏面からそれぞれ突出して設けられており、パチンコ機を製造工場から遊技場に搬送するために梱包する場合には、複数のパチンコ機を、その前面と裏面とが対面するように上下に重ねると、重ねた複数のパチンコ機の下側に位置するパチンコ機の操作ハンドル及び貯留皿が、上側に位置するパチンコ機の本体枠に接触してしまうとともに、重ねた複数のパチンコ機の上側に位置するパチンコ機の制御回路基板及び貯留タンクが、下側に位置するパチンコ機の前面扉に接触してしまうため、パチンコ機を１個ずつ個別に梱包箱に梱包する必要があり、さらには、梱包したパチンコ機がガタつかないように、梱包箱とパチンコ機との隙間に発泡スチロール等の緩衝材を挿入する必要があり、梱包作業に手間がかかっていた。
【０００４】
本発明は、上記課題を解決するためになされたものであり、パチンコ機の梱包作業を容易に行うことができる収納ケースを提供することを目的とする。
【課題を解決するための手段】
【０００５】
上記目的を達成するために、本発明の収納ケースは、遊技盤を支持する本体部と、前記本体部の前面側に突出して設けられた前面突出体と、前記本体部の後面側に突出して設けられた後面突出体とを備え、遊技球を用いて遊技を行う弾球遊技機を収納する収納ケースであって、前記本体部の前面または後面が載置される載置面部を有する板状に形成され、前記前面突出体と前記後面突出体との一方を挿通する挿通孔部が形成された底板と、前記底板の前記載置面部側の面の外周部に前記前面突出体と前記後面突出体との他方よりも高く立設された第１周壁部と、前記底板の前記載置面部側とは反対側の面の外周部に前記前面突出体と前記後面突出体との一方よりも高く立設された第２周壁部と、を有するケース本体を備え、前記第１周壁部の先端面と前記第２周壁部の先端面との一方には係合凸部が、他方には前記係合凸部が挿入可能な係合凹部が設けられていることを特徴とする。
【０００６】
なお、前記ケース本体に収納した前記弾球遊技機を前記底板とともに挟持する挟持位置及び前記挟持位置から退避した退避位置の間で変位する変位部材と、前記変位部材を前記挟持位置に向けて付勢する付勢部と、を備えることが好ましい。
【０００７】
また、前記第１周壁部に設けられた前記係合凸部または前記係合凹部に係合する第１係合部を有し、前記底板と前記第１周壁部とで形成された第１収納部を覆う第１蓋部材と、前記第２周壁部に設けられた前記係合凸部または前記係合凹部に係合する第２係合部を有し、前記底板と前記第２周壁部とで形成された第２収納部を覆う第２蓋部材と、を備えることが好ましい。
【０００８】
さらに、複数の前記ケース本体同士を、または、前記第１蓋部材及び前記第２蓋部材の一方と前記ケース本体とを固定する固定部を備え、前記固定部は、板状に形成され、一方の先端部が前記ケース本体、前記第１蓋部材及び前記第２蓋部材に設けられた回動軸に軸支される本体板と、前記ケース本体、前記第１蓋部材及び前記第２蓋部材に設けられた雌ネジに螺合する雄ネジと、前記本体板の他方の先端部に設けられ、短手方向が前記雄ネジの頭部の径よりも小さい長孔状に形成された雄ネジ挿通孔と、前記本体板に前記雄ネジ挿通孔を囲み且つ前記雄ネジよりも低く立設され、前記雄ネジ挿通孔の短手方向において前記雄ネジの頭部の径よりも僅かに大きい間隔で互いに対向する第１対向壁及び第２対向壁、前記雄ネジ挿通孔の長手方向においてこの長手方向の長さよりも僅かに大きい間隔で互いに対向する第３対向壁及び第４対向壁を有するネジ周壁部と、前記ネジ周壁部の先端面に設けられ、前記本体板と前記ネジ周壁部とで形成されたネジ収納部を覆うとともに、前記雄ネジの頭部の径よりも小さく且つ前記雄ネジを操作する操作工具が挿通可能な長孔状の操作孔が前記雄ネジ挿通孔に沿って形成された収納蓋部と、を有することが好ましい。
【発明の効果】
【０００９】
本発明の収納ケースによれば、遊技盤を支持する本体部と、本体部の前面側に突出して設けられた前面突出体と、本体部の後面側に突出して設けられた後面突出体とを備え、遊技球を用いて遊技を行う弾球遊技機を収納し、本体部の前面または後面が載置される載置面部を有する板状に形成され、前面突出体と後面突出体との一方を挿通する挿通孔部が形成された底板と、底板の載置面部側の面の外周部に前面突出体と後面突出体との他方よりも高く立設された第１周壁部と、底板の載置面部側とは反対側の面の外周部に前面突出体と後面突出体との一方よりも高く立設された第２周壁部と、を有するケース本体を備え、第１周壁部の先端面と第２周壁部の先端面との一方には係合凸部が、他方には係合凸部が挿入可能な係合凹部が設けられているから、弾球遊技機の本体部を底板の載置面部に載置すると、前面突出体と後面突出体との一方が挿通孔部を挿通し、第１周壁部により前面突出体と後面突出体との他方を覆い、第２周壁部により前面突出体と後面突出体との一方を覆うことができるため、弾球遊技機を収納した複数のケース本体を第１周壁部の先端面と第２周壁部の先端面とが対面するように上下に重ねる場合にも、下側に位置する弾球遊技機の前面突出体と後面突出体との一方が、上側に位置する弾球遊技機の前面突出体と後面突出体との他方に接触することがなく、弾球遊技機を収納した複数のケース本体を重ねることができ、弾球遊技機の梱包作業の手間を軽減することができる。さらに、複数のケース本体を重ねると、係合凸部が係合凹部に挿入されるから、複数のケース本体を重ねたときに、その重ねた状態を維持することができる。
【００１０】
また、ケース本体に収納した弾球遊技機を底板とともに挟持する挟持位置及び挟持位置から退避した退避位置の間で変位する変位部材と、変位部材を挟持位置に向けて付勢する付勢部と、を備えたから、ケース本体に収納した弾球遊技機を変位部材と底板とで挟持することができ、通常時には、変位部材は付勢部によりケース本体に収納した弾球遊技機を底板とともに挟持する挟持位置に位置するから、変位部材を退避位置に変位しない限りは、変位部材を挟持位置に位置することができる。
【００１１】
さらに、第１周壁部に設けられた係合凸部または係合凹部に係合する第１係合部を有し、底板と第１周壁部とで形成された第１収納部を覆う第１蓋部材と、第２周壁部に設けられた係合凸部または係合凹部に係合する第２係合部を有し、底板と第２周壁部とで形成された第２収納部を覆う第２蓋部材と、を備えたから、第１周壁部に設けられた係合凸部または係合凹部に第１蓋部材の第１係合部を係合し、第２周壁部に設けられた係合凸部または係合凹部に第２蓋部材の第２係合部を係合すると、第１蓋部材により第１収納部を覆い、第２蓋部材により第２収納部を覆うことができるため、ケース本体、第１蓋部材及び第２蓋部材によりケース本体に収納した弾球遊技機を外部から接触不能に防護することができ、ケース本体に収納した弾球遊技機が傷つくことを防止することができる。
【００１２】
また、複数のケース本体同士を、または、第１蓋部材及び第２蓋部材の一方とケース本体とを固定する固定部を備え、固定部は、板状に形成され、一方の先端部がケース本体、第１蓋部材及び第２蓋部材に設けられた回動軸に軸支される本体板と、ケース本体、第１蓋部材及び第２蓋部材に設けられた雌ネジに螺合する雄ネジと、本体板の他方の先端部に設けられ、短手方向が雄ネジの頭部の径よりも小さい長孔状に形成された雄ネジ挿通孔と、本体板に雄ネジ挿通孔を囲み且つ雄ネジよりも低く立設され、雄ネジ挿通孔の短手方向において雄ネジの頭部の径よりも僅かに大きい間隔で互いに対向する第１対向壁及び第２対向壁、雄ネジ挿通孔の長手方向においてこの長手方向の長さよりも僅かに大きい間隔で互いに対向する第３対向壁及び第４対向壁を有するネジ周壁部と、ネジ周壁部の先端面に設けられ、本体板とネジ周壁部とで形成されたネジ収納部を覆うとともに、雄ネジの頭部の径よりも小さく且つ雄ネジを操作する操作工具が挿通可能な長孔状の操作孔が雄ネジ挿通孔に沿って形成された収納蓋部と、を有するから、複数の固定部を用いることにより、複数のケース本体同士を固定し、第１蓋部材とケース本体とを固定し、第２蓋部材とケース本体とを固定することができるため、搬送する際に、複数のケース本体、第１蓋部材及び第２蓋部材がバラバラになることがなく、容易に収納ケースを搬送することができる。
【００１３】
さらに、本体板に設けられた雄ネジを挿通する雄ネジ挿通孔は、短手方向が雄ネジの頭部の径よりも小さい長孔状に形成されているから、雄ネジ挿通孔の長手方向において雄ネジを挿通する位置を移動することができ、ケース本体を重ねときや、ケース本体に第１蓋部材及び第２蓋部材を係合したときに、ケース本体、第１蓋部材及び第２蓋部材に設けられた雌ネジの位置が、基準となる位置からずれた場合にも、雄ネジを挿通する位置を移動することにより、確実に複数のケース本体同士を、または、第１蓋部材及び第２蓋部材の一方とケース本体とを固定することができる。また、ネジ周壁部の先端面に本体板とネジ周壁部とで形成されたネジ収納部を覆う収納蓋部を設けたから、雄ネジを常にネジ収納部に収納することができ、固定作業を行う際に、雄ネジを用意する必要がなく、作業性を向上することができる。さらに、ケース本体を弾球遊技機の収納に使用していないときには、雄ネジをケース本体に設けられた雌ネジに螺合することにより、固定部がふらふらして邪魔になることがない。また、ネジ周壁部の第１対向壁及び第２対向壁は、雄ネジ挿通孔の短手方向において雄ネジの頭部の径よりも僅かに大きい間隔で互いに対向するから、雄ネジと雌ネジとの螺合を解除し、雄ネジがどの部材にも螺合していない状態で雄ネジが倒れた場合にも、雄ネジの頭部はすぐに第１対向壁または第２対向壁に当接し、さらには、第３対向壁及び第４対向壁は雄ネジ挿通孔の長手方向においてこの長手方向の長さよりも僅かに大きい間隔で互いに対向し、収納蓋部の長孔状の操作孔は雄ネジ挿通孔に沿って形成されているから、雄ネジは常に納蓋部の操作孔から視認可能となっており、雄ネジを操作する操作工具を操作孔に挿通して雄ネジを操作するときに、容易にその操作を行うことができる。
【発明を実施するための最良の形態】
【００１４】
図１に示すように、弾球遊技機の１実施例であるパチンコ機（弾球遊技機）２は、本体枠（本体部）３の内部に遊技盤４が配設されており、本体枠３の前面には前面扉５が開閉自在に取り付けられている。前面扉５の下方には、打球供給用の供給皿（前面突出体）６及びパチンコ球（遊技球）７の打ち出し強さを調節する操作ハンドル（前面突出体）８が設けられた貯留ユニット（前面突出体）９が、本体枠３の前面側に突出して取り付けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置１０が設けられている。図柄可変表示装置１０の周りには、始動入賞口１１、アタッカ１２、アウト口１３が設けられている。また、遊技盤４の略中央には、センター役物１４が組み付けられており、センター役物１４に形成された開口１４ａを介して、後述する裏セット板２０に組み付けられた図柄可変表示装置１０を視認することができる。なお、前面扉５の前面には、凸状の装飾部が設けられており、この装飾部は、本体枠３の前面側に突出して設けられた前面突出体となる。また、本実施形態では、貯留ユニット９は、前面扉５の装飾部よりも本体枠３の前面から大きく突出するようにされている。
【００１５】
本体枠３の裏面の上側端部には、本体枠３の裏面から突出するように箱状の貯留タンク（後面突出体）１５が取り付けられている。この貯留タンク１５は、貯留皿６に払い出すためのパチンコ球７を貯留するものであり、凹状の貯留凹部１５ａが形成されている。
【００１６】
遊技者は供給皿６にパチンコ球７を投入して遊技を開始する。投入されたパチンコ球７は供給皿６内に設けられた誘導路を経て球発射装置に導かれる。遊技者は、回動式の操作ハンドル８を所定量回動して球発射装置の駆動を制御することで、パチンコ球７を１個ずつ遊技盤４の遊技領域４ａの上方に向けて打ち出すことができる。打ち出されたパチンコ球７は遊技領域４ａの上方から流下する途中で始動入賞口１１に入るか、あるいはアウト口１３から回収される。なお、パチンコ機２の遊技領域４ａに設けられている複数の釘、風車などの構造物は公知であるので説明は省略する。
【００１７】
図２に示すように、前面扉５は、本体枠３の前面に開閉自在に取り付けられている。前面扉５の内側には、可視可能なガラスが取り付けられている。なお、前面扉５が閉じているロック状態であるときには、遊技者や遊技場の作業者は、ガラスを通して遊技盤４の遊技領域４ａを流下していくパチンコ球７を見ることはできるが、遊技盤４にはもちろんのこと本体枠３の内部にも触れることができないようになっている。
【００１８】
図３に示すように、遊技盤ユニット１６は、本体枠３の遊技盤ユニット係止部３ａに交換可能に係止されている。遊技盤ユニット係止部３ａの右側端部の上側端部及び下側端部には、遊技盤ユニット１６を係止するための遊技盤ユニット係止部材１７が設けられている。なお、遊技盤ユニット係止部材１７には、回動可能な係止部１７ａが軸支されている。
【００１９】
図４に示すように、遊技盤ユニット１６は、遊技盤４、裏セットユニット（後面突出体）１８及びガイドレール枠１９を備え、裏セットユニット１８とガイドレール枠１９とは、詳しくは後述するように、遊技盤４を挟持した状態で係止されている。
【００２０】
遊技盤４の右側端部の上側端部及び下側端部には、遊技盤ユニット係止部材１７（図３参照）を挿通するための係止部材挿通孔４ｂが形成されている。遊技盤４の四隅には、後述するボス２３を挿通するための位置決め開口４ｃが形成されている。
【００２１】
裏セットユニット１８は、裏セット板（後面突出体）２０と、この裏セット板２０に支持される主制御回路装置（後面突出体）３５及び副制御回路装置（後面突出体）３９（図５参照）とを備える。裏セット板２０は略板状に形成されており、裏セット板２０の前面には複数のリブ２０ａが設けられ、これらリブ２０ａにより球通路２０ｂが形成される。遊技を行った際に始動入賞口１１、アタッカ１２及びアウト口１３に入ったパチンコ球７は、球通路２０ｂを通過して所定の受け部に誘導される。裏セット板２０の上下４箇所にはボス２３が形成されており、このボス２３には後述するガイドレール枠１９に設けられた係止つまみ４１を挿通させるための開口２４が形成されている。このボス２３を、遊技盤４に形成された位置決め開口４ｃに裏面側から挿通させることで、遊技盤４と裏セット板２０との位置決めが行われる。裏セット板２０の裏面には、図柄可変表示装置１０が組み付けられる（図５参照）。
【００２２】
ガイドレール枠１９は、板状に形成され前面の外周にリブが形成された枠本体２５に、外レール２６、第１内レール２７、第２内レール２８が取り付けられた構成となっている。枠本体２５、外レール２６、第１内レール２７及び第２内レール２８は例えばポリアセタール等の摺動性、耐摩耗性に優れた樹脂材から形成されている。なお、外レール２６と第１内レール２７との間は、打ち出されたパチンコ球７を遊技領域４ａに向けて誘導するためのガイド部２５ａとなる。また、枠本体２５の中央には、遊技におけるパチンコ球７の移動を規制（形成）するための開口２５ｂが形成され、その下方に始動入賞口１１、アタッカ１２のいずれにも入賞しなかったパチンコ球７を所定の受け部に導くためのアウト口２９の前面装飾２９ａが形成されている。なお、外レール２６、第１内レール２７及び第２内レール２８は、それぞれ図示しないネジ等により枠本体２５に組み付け固定される。
【００２３】
図５に示すように、主制御回路装置（後面突出体）３５及び副制御回路装置（後面突出体）３９は、裏セット板２０の裏面側に突出するように裏セット板２０に支持されている。遊技盤４の裏面には、遊技を行う際に作動が行われる各種装置を制御するためのメインプログラムや図柄可変表示装置１０の可変表示制御を行うための演出プログラムが記憶されたプログラムＲＯＭ３１及び、図柄可変表示装置１０で表示する画像データ、音声データ、メインプログラム等に基づいて行われる処理状況に応じて各種装置を作動させるためのデータ等が記憶されているデータＲＯＭ３２、メモリコントローラが組み付けられた回路基板３３が設けられている。この回路基板３３にはコネクタ３４が設けられており、裏セット板２０に組み付けられた主制御回路装置３５に連接させるためのコネクタ３６が嵌め込まれる。これにより、主制御回路装置３５と回路基板３３とがケーブル３７、３８を介して電気的に接続される。なお、本実施形態では回路基板に組み付ける情報記憶媒体としてＲＯＭを挙げたが、これに限定する必要はなく、ＲＡＭ（Ｒａｎｄｏｍ  Ａｃｃｅｓｓ  Ｍｅｍｏｒｙ）を組み付けてもよい。この場合、組み付け作業時にプログラムやデータ等を記憶させるようにしたり、機種替えの際に又は弾球遊技機の起動時にプログラムやデータをインストールするようにする。なお、インストールはパチンコ店等のホールコンピュータと接続させ、ホールコンピュータに記憶されたプログラムやデータを用いて行うようにすると好適である。
【００２４】
図４に示すように、枠本体２５の裏面の上端部及び下端部のそれぞれ２箇所計４箇所にはボス（図示せず）が形成され、このボスにロック機構である回動自在な係止つまみ４１が取り付けられる。このボスを遊技盤４に形成された位置決め開口４ｃに挿通させることで、枠本体２５と遊技盤４との位置決めが行われる。また、係止つまみ４１は裏セット板２０に形成されたボス２３の開口２４に挿通された後に、開口２４に対して水平位置から垂直位置へと回動させることで、遊技盤４を挟持した状態でガイドレール枠１９と裏セット板２０との係合を行うことが可能となる。なお、ロック機構の構造及び個数は遊技盤ユニット１６の構成等を考慮して、適宜設定することが可能である。また、枠本体２５の右側の上下端部には係止部材係止孔２５ｃが形成されている。係止部材係止孔２５ｃは遊技盤ユニット係止部材１７の係止部１７ａを挿通させることのできる位置に設けられている。
【００２５】
図６に示すように、枠本体２５の係止部材係止孔２５ｃは、遊技盤ユニット係止部材１７が挿通可能な大きさで、遊技盤ユニット係止部材１７の係止部１７ａと係止可能となるように形成されている。係止部１７ａは、遊技盤ユニット係止部材１７に回動自在に軸支されており、遊技盤ユニット１６が取り付けられていない状態では、係止部１７ａは長手方向が垂直に向けられた係止解除位置にセットされている。遊技盤ユニット１６が本体枠３の遊技盤ユニット係止部３ａに取り付けられると、遊技盤ユニット係止部材１７が係止部材係止孔２５ｃに挿通され、係止部１７ａが回動自在となるように係止部材係止孔２５ｃから突出する。
【００２６】
図７に示すように、係止部１７ａが係止部材係止孔２５ｃから突出した状態でその長手方向が水平となるように９０度回動されると、遊技盤ユニット係止部材１７は係止位置にセットされる。係止位置への回動によって、係止部１７ａが係止部材係止孔２５ｃから挿脱不能となり、遊技盤ユニット１６を係止する。これにより、遊技盤ユニット１６が本体枠３に係止される。
【００２７】
図８及び図９に示すように、本発明を実施した収納ケース５０は、裏セットユニット１８を図９中において下側にした状態でパチンコ機２を収納するものであり、略箱状の収納ボックス（ケース本体）５１、収納ボックス５１の上面に取り付けられる板状の上蓋（第１蓋部材）５２、収納ボックス５１の下面に取り付けられる板状の下蓋（第２蓋部材）５３、他の収納ボックス５１を固定するための固定ユニット（固定部）５４を備える。固定ユニット５４は、４個設けられている。収納ボックス５１は、板状の平面板（底板）５１ａと、平面板５１ａの図９中の上面に全周に亘って立設された上周壁部（第１周壁部）５１ｂと、平面板５１ａの図９中の下面に全周に亘って立設された下周壁部（第２周壁部）５１ｃとを備える。平面板５１ａには、裏セットユニット１８を挿通するための裏セットユニット挿通孔（挿通孔部）５１ｄと、貯留タンク１５を挿通するための貯留タンク挿通孔（挿通孔部）５１ｅとが形成されている。平面板５１ａの図９における上面の上周壁部５１ｂによって覆われた部分が、本体枠３の後面が載置される載置面部５１ｆとなる。平面板５１ａと上周壁部５１ｂとで形成された第１収納部には、本体枠３、遊技盤４、前面扉５及び貯留ユニット９が収納される。上周壁部５１ｂは、その高さ方向において、貯留ユニット９よりも高く立設されている。平面板５１ａと上周壁部５１ｂとは、収納した本体枠３がガタつくことがない形状、具体的には、本体枠３の後面を載置面部５１ｆに載置したときに、本体枠３の上側面, 下側面, 左側面及び右側面が、上周壁部５１ｂの内壁面に当接するように形成されている。平面板５１ａと下周壁部５１ｃとで形成された第２収納部には、貯留タンク１５及び裏セットユニット１８が収納され、下周壁部５１ｃは、その高さ方向において、貯留タンク１５及び裏セットユニット１８よりも高く立設されている。
【００２８】
上周壁部５１ｂの先端面の四隅には、それぞれ凸状の係合凸部５１ｇが形成されており、下周壁部５１ｃの先端面の四隅には、それぞれ凹状の係合凹部５１ｈが形成されている。係合凹部５１ｈは、係合凸部５１ｇを挿入可能であり、他の収納ボックス５１の係合凸部５１ｇを挿入したときに、挿入した係合凸部５１ｇが形成された収納ボックス５１がガタつくことがない形状で形成されている。
【００２９】
上周壁部５１ｂの図９における左右それぞれの内壁面には、凹状の挟持凹部５１ｉが形成されており、この挟持凹部５１ｉには、収納ボックス５１に収納されたパチンコ機２を平面板５１ａとともに挟持する挟持板（変位部材）５５と、挟持板５５を付勢するコイルバネ（付勢部）５６とが挿入されている。挟持板５５は、図９における左右方向に移動可能に挿入されている。コイルバネ５６は、一端が挟持凹部５１ｉの底面に取り付けられ、他端が挟持板５５に取り付けられている。このコイルバネ５６の付勢により、図９中の左側の挟持凹部５１ｉに挿入された挟持板５５は図９中Ａ方向に付勢され、図９中の右側の挟持凹部５１ｉに挿入された挟持板５５は図９中Ｂ方向に付勢された状態となる。上周壁部５１ｂの先端面の図９における左右それぞれには、パチンコ機２を挿入するときに挟持板５５を移動させるための凹状の移動凹部５１ｊが形成されている。
【００３０】
下周壁部５１ｃの図９における左右それぞれの外壁面には、後述するピン（回動軸）６２を挿入するための挿入孔５１ｋが、平面板５１ａの図９における左右それぞれの側面には、固定ユニット５４を取り付けるための第１雌ネジ（雌ネジ）５１l が、上周壁部５１ｂの図９における左右ぞれぞれの外壁面には、固定ユニット５４を取り付けるための第２雌ネジ（雌ネジ）５１ｍが、それぞれ形成されている。挿入孔５１ｋに、固定ユニット５４を挿通したピン６２を挿入すると、固定ユニット５４は、ピン６２を中心に回動自在に収納ボックス５１に取り付けられる。そして、後述するネジ（雄ネジ）６１を、第１雌ネジ５１l に螺合すると、固定ユニット５４は、収納ボックス５１に固定される。
【００３１】
上蓋５２の下面の四隅には、それぞれ係合凸部５１ｇを挿入するための凹状の挿入凹部（第１係合部）５２ａが形成されている。挿入凹部５２ａは、係合凸部５１ｇを挿入したときに、挿入した係合凸部５１ｇが形成された収納ボックス５１がガタつくことがない形状で形成されている。上蓋５２の図９における左右ぞれぞれの側面には、ピン６２を挿入するための挿入孔５２ｂと固定ユニット５４を取り付けるための上蓋雌ネジ（雌ネジ）５２ｃ（図８参照）とが形成されている。挿入孔５２ｂに、固定ユニット５４を挿通したピン６２を挿入すると、固定ユニット５４は、ピン６２を中心に回動自在に上蓋５２に取り付けられる。そして、ネジ６１を、上蓋雌ネジ５２ｃに螺合すると、固定ユニット５４は、上蓋５２に固定される。
【００３２】
下蓋５３の上面の四隅には、それぞれ係合凹部５１ｈに挿入するための凸状の挿入凸部（第２係合部）５３ａが形成されている。挿入凸部５３ａは、係合凹部５１ｈに挿入したときに、下蓋５３がガタつくことがない形状で形成されている。下蓋５３の図９における左右ぞれぞれの側面には、固定ユニット５４を取り付けるための下蓋雌ネジ（雌ネジ）５３ｂが形成されている。
【００３３】
固定ユニット（固定部）５４は、収納ボックス５１の図９における左右それぞれの側面と、上蓋５２の左右ぞれぞれの側面とに計４個取り付けられている。図１０及び図１１に示すように、固定ユニット５４は、板状の固定板（本体板）５４ａ、固定板５４ａの図１０における前面に全周に亘って立設され、ネジ６１を収納するためのネジ周壁部５４ｂ、ネジ周壁部５４ｂの先端面に取り付けられる板状の蓋部（収納蓋部）５４ｃ、固定ユニット５４を収納ボックス５１または下蓋５３に固定するためのネジ（雄ネジ）６１を備え、ピン６２により収納ボックス５１または上蓋５２に取り付けられる。なお、図１１（Ａ）は正面図、図１１（Ｂ）は左側面断面図、図１１（Ｃ）は上側面断面図である。固定板５４ａの図１０における下側端部には、ピン６２を挿通するためのピン挿通孔５４ｄが形成されている。ピン挿通孔５４ｄは、ピン６２の軸部の径よりも僅かに大きな径で形成されており、これにより、固定ユニット５４は、ピン挿通孔５４ｄに挿通したピン６２を中心に回動自在となる。
【００３４】
固定板５４ａの図１１（Ｂ）における上側端部には、ネジ６１の軸部を挿通するための長孔状のネジ挿通孔（雄ネジ挿通孔）５４ｅが形成されている。ネジ挿通孔５４ｅは、長手方向が図１１（Ｂ）における上下方向になるように、且つ短手方向の長さがネジ６１の頭部の径よりも小さく形成されている。ネジ周壁部５４ｂは、ネジ挿通孔５４ｅを囲むように、且つネジ６１の全長よりも低く立設されており、ネジ挿通孔５４ｅの短手方向（図１１（Ｃ）中の左右方向）においてネジ６１の頭部の径よりも僅かに大きい間隔（例えば、ネジ６１の頭部の径の１．２倍）で互いに対向するように形成された第１対向壁５４ｆ及び第２対向壁５４ｇ、ネジ挿通孔５４ｅの長手方向（図１１（Ｂ）中の上下方向）においてこの長手方向の長さよりも僅かに大きい間隔（例えば、ネジ挿通孔５４ｅの長手方向の長さの１．２倍）で互いに対向するように形成された第３対向壁５４ｈ及び第４対向壁５４ｉ、固定板５４ａの図１１（Ｃ）における左右の側面に外壁面が連続して形成された左対向壁５４ｊ及び右対向壁５４ｋを備える。第３対向壁５４ｈ及び第４対向壁５４ｉは、左対向壁５４ｊ及び右対向壁５４ｋに繋がって一体化するように形成されている。また、第３対向壁５４ｈと第４対向壁５４ｉとの間隔は、ネジ６１の全長より短く形成されている。ネジ６１をネジ挿通孔５４ｅに挿通した状態で、蓋部５４ｃをネジ周壁部５４ｂの先端面に取り付けると、ネジ６１は取り出し不能となる。
【００３５】
蓋部５４ｃは、板状に形成され、ネジ６１をドライバ等の工具を用いてネジ締めするときに、ドライバを挿通するための長孔状のドライバ挿通孔（操作孔）５４ｌがネジ挿通孔５４ｅに沿って形成されている。ドライバ挿通孔５４ｌは、短手方向の長さがネジ６１の頭部の径よりも小さく、且つドライバを挿通可能な大きさで、長手方向の長さがネジ挿通孔５４ｅの長手方向の長さと略同一となるように形成されている。これにより、ネジ６１は、常にネジ周壁部５４ｂと蓋部５４ｃとにより形成された空間に収納された状態となるから、固定ユニット５４を取り付けるときに、取り付け用の別のネジを用意する必要がなく、作業性を向上することができる。
【００３６】
上記のように構成された収納ケース５０の作用について説明する。製造したパチンコ機２を倉庫等の保管場所に保管する場合には、図１２に示すように、先ず、下蓋５３の挿入凸部５３ａを、収納ボックス５１の係合凹部５１ｈに挿入し、収納ボックス５１に取り付けられた固定ユニット５４のネジ６１と第１雌ネジ５１l との螺合を解除して、固定ユニット５４を回動自在にし、この状態で固定ユニット５４をピン６２を中心に１８０°回動させて，ネジ６１を下蓋５３の下蓋雌ネジ５３ｂに螺合する。これにより、下蓋５３が第１の収納ボックス５１の下面側に固定される。そして、裏セットユニット１８を下向きにした状態で、パチンコ機２を収納ボックス５１に収納する。このとき、作業者は、移動凹部５１ｊに板状の治具等を挿入して２個の挟持板５５を挟持凹部５１ｉに入る方向に移動させる。図１３に示すように、本体枠３の後面を載置面部５１ｆに当接させてパチンコ機２を収納ボックス５１に収納すると、貯留タンク１５が貯留タンク挿通孔５１ｅに、裏セットユニット１８が裏セットユニット挿通孔５１ｄにそれぞれ挿通される。パチンコ機２を収納ボックス５１に収納した後に、移動凹部５１ｊから治具を抜くと、コイルバネ５６の付勢により、図１３中の左側の挟持板５５は図１３中Ａ方向に移動し、図１３中の右側の挟持板５５は図１３中Ｂ方向に移動する。これにより、パチンコ機２は、２個の挟持板５５と平面板５１ａとにより挟持された状態となる。
【００３７】
次に、図１４に示すように、上述したように第１のパチンコ機２を収納した第１の収納ボックス５１の係合凸部５１ｇを、別の第２の収納ボックス５１の係合凹部５１ｈに挿入し、第２の収納ボックス５１に取り付けられた固定ユニット５４のネジ６１と第１雌ネジ５１l との螺合を解除して、固定ユニット５４を回動自在にし、この状態で固定ユニット５４をピン６２を中心に１８０°回動させて，ネジ６１を第１の収納ボックス５１の第２雌ネジ５１ｍに螺合する。これにより、第２の収納ボックス５１が第１の収納ボックス５１の上面側に固定される。そして、上述したような方法で、第２の収納ボックス５１に、第２のパチンコ機２を収納する。なお、第１の収納ボックス５１とは、図１４及び図１５において下段のものを示し、第２の収納ボックス５１とは、図１４及び図１５において上段のものを示す。また、第１のパチンコ機２とは、図１４及び図１５において下段のものを示し、第２のパチンコ機２とは、図１４及び図１５において上段のものを示す。そして、図１５に示すように、第２の収納ボックス５１の係合凸部５１ｇを、上蓋５２の挿入凹部５２ａに挿入し、上蓋５２に取り付けられた固定ユニット５４のネジ６１と上蓋雌ネジ５２ｃとの螺合を解除して、固定ユニット５４を回動自在にし、この状態で固定ユニット５４をピン６２を中心に９０°回動させて，ネジ６１を第２の収納ボックス５１の第２雌ネジ５１ｍに螺合する。これにより、上蓋５２が第２の収納ボックス５１の上面側に固定される。この状態では、第１及び第２のパチンコ機２は、第１及び第２の収納ボックス５１と上蓋５２及び下蓋５３とにより覆われた状態で収納され、外部からは接触不能となっているため、傷つくことがない。パチンコ機２を倉庫等の保管場所に保管する場合には、このように収納ケース５０に収納した状態で倉庫に保管する。なお、重ねる収納ボックス５１の個数は、２個に限定されることなく、適宜変更されるものである。
【００３８】
このように、収納ボックス５１にパチンコ機２を収納することができ、上周壁部５１ｂは、その高さ方向において、貯留ユニット９よりも高く立設されており、下周壁部５１ｃは、その高さ方向において、貯留タンク１５及び裏セットユニット１８よりも高く立設されているから、収納したパチンコ機２を傷つけることなく、パチンコ機２を収納した収納ボックス５１を複数個重ねることができ、複数のパチンコ機２を１個ずつ個別に梱包する場合に比べて、その作業の手間を軽減することができる。
【００３９】
また、平面板５１ａと上周壁部５１ｂとは、本体枠３の後面を載置面部５１ｆに載置したときに、本体枠３の上側面, 下側面, 左側面及び右側面が、上周壁部５１ｂの内壁面に当接するように形成されており、収納ボックス５１に収納した本体枠３がガタつくことがないから、パチンコ機２を収納した状態で収納ケース５０を搬送するときに、パチンコ機２が傷つくことがない。さらに、固定ユニット５４のネジ挿通孔５４ｅと、蓋部５４ｃのドライバ挿通孔５４ｌとは長孔状に形成されているから、下蓋５３の挿入凸部５３ａを、収納ボックス５１の係合凹部５１ｈに挿入した後で、収納ボックス５１と下蓋５３との図１２中の上下方向における位置にバラツキが生じた場合にも、そのバラツキの分だけ、ネジ６１を上下方向に移動させることにより、下蓋５３と収納ボックス５１とを確実に固定することができ、同様にして、収納ボックス５１の係合凸部５１ｇを、別の収納ボックス５１の係合凹部５１ｈに挿入した後で、２個の収納ボックス５１の図１４中の上下方向における位置にバラツキが生じた場合にも、そのバラツキの分だけ、ネジ６１を上下方向に移動させることにより、２個の収納ボックス５１を確実に固定することができ、同様にして、収納ボックス５１の係合凸部５１ｇを、上蓋５２の挿入凹部５２ａに挿入した後で、収納ボックス５１と上蓋５２との図１５中の上下方向における位置にバラツキが生じた場合にも、そのバラツキの分だけ、ネジ６１を上下方向に移動させることにより、収納ボックス５１と上蓋５２とを確実に固定することができる。
【００４０】
さらに、固定ユニット５４により、パチンコ機２を収納した複数の収納ボックス５１を一体的に固定することができるため、複数の収納ボックス５１を搬送する場合にも、複数の収納ボックス５１がバラバラになることがなく、搬送の際の手間を軽減することができる。さらに、収納ボックス５１に収納されたパチンコ機２は、収納ボックス５１と上蓋５２及び下蓋５３とにより覆われた状態で収納され、外部からは接触不能となっているため、傷つくことがない。
【００４１】
また、収納ボックス５１及び上蓋５２を使用しないときには、収納ボックス５１に取り付けられた固定ユニット５４は、収納ボックス５１に固定され、上蓋５２に取り付けられた固定ユニット５４は、上蓋５２に固定されているから、収納ボックス５１及び上蓋５２を使用しないときには、それぞれに取り付けられた固定ユニット５４がふらふらして邪魔になることがない。
【００４２】
さらに、固定ユニット５４のネジ周壁部５４ｂの第１対向壁５４ｆ及び第２対向壁５４ｇは、ネジ挿通孔５４ｅの短手方向においてネジ６１の頭部の径の１．２倍の間隔で互いに対向するから、ネジ６１と収納ボックス５１の第１雌ネジ５１ｌとの螺合を解除し、ネジ６１が倒れた場合にも、ネジ６１の頭部がすぐに第１対向壁５４ｆまたは第２対向壁５４ｇに当接し、さらには、第３対向壁５４ｈ及び第４対向壁５４ｉは、ネジ挿通孔５４ｅの長手方向においてこの長手方向の長さの１．２倍で、且つネジ６１の全長より短い間隔で互いに対向し、蓋部５４ｃのドライバ挿通孔５４ｌは、その長手方向の長さがネジ挿通孔５４ｅの長手方向の長さと略同一で形成されているから、ネジ６１は常にドライバ挿通孔５４ｌから視認可能となっており、ドライバをドライバ挿通孔５４ｌに挿通して、ネジ６１を操作するときに、容易にその操作を行うことができる。
【００４３】
なお、上記実施形態では、収納ボックス５１に取り付けた固定ユニット５４により収納ボックス５１と下蓋５３とを固定し、上蓋５２に取り付けた固定ユニット５４により収納ボックス５１と上蓋５２とを固定したが、これに限定されることなく、収納ボックス５１に取り付けた固定ユニット５４により収納ボックス５１と上蓋５２とを固定し、下蓋５３に取り付けた固定ユニット５４により収納ボックス５１と下蓋５３とを固定するようにしてもよい。
【００４４】
また、上記実施形態では、固定ユニット５４を、収納ボックス５１の左右それぞれの側面と、上蓋５２の左右ぞれぞれの側面とに計４個取り付けたが、固定ユニット５４の個数は４個に限定されることなく、適宜変更されるものである。
【００４５】
さらに、上記実施形態では、上周壁部５１ｂの先端面の四隅に係合凸部５１ｇを、下周壁部５１ｃの先端面の四隅に係合凹部５１ｈを形成したが、これに限定されることなく、上周壁部５１ｂの先端面の四隅に凹状の係合凹部を、下周壁部５１ｃの先端面の四隅に凸状の係合凸部を形成してもよく、この場合には、上蓋５２の下面の四隅に凸状の挿入凸部を、下蓋５３の上面の四隅に凹状の挿入凹部を形成する。また、係合凸部５１ｇ及び係合凹部５１ｈの個数は、４個に限定されることなく、適宜変更されるものである。
【００４６】
また、上記実施形態では、裏セットユニット１８を下側にした状態のパチンコ機２を収納ボックス５１に収納するようにしたが、これに限定されることなく、裏セットユニット１８を上側にした状態のパチンコ機２を収納ボックス５１に収納するようにしてもよく、この場合には、平面板５１ａに、貯留ユニット９を挿通するための貯留ユニット挿通孔を形成し、上周壁部５１ｂを、その高さ方向において、裏セットユニット１８よりも高く立設し、下周壁部５１ｃを、その高さ方向において、貯留ユニット９よりも高く立設する。
【００４７】
さらに、上記実施形態では、ネジ挿通孔５４ｅを、長手方向が図１１（Ｂ）中の上下方向になるように形成し、ネジ６１を上下方向に移動可能にしたが、これに限定されることなく、長手方向が図１１（Ｃ）中の左右方向になるように形成し、ネジ６１を左右方向に移動可能にしてもよい。
【図面の簡単な説明】
【００４８】
【図１】本発明を実施したパチンコ機の外観を示す斜視図である。
【図２】前面扉を開けた状態のパチンコ機を示す斜視図である。
【図３】本体枠と遊技盤ユニットとを示す分解斜視図である。
【図４】遊技盤と支持体とガイドレール枠とを示す分解斜視図である。
【図５】遊技盤と支持体との構成を分解した状態の概略を示す断面図である。
【図６】遊技盤ユニット係止部材が開始解除位置にセットされた状態を示す正面図である。
【図７】遊技盤ユニット係止部材が係止位置にセットされた状態を示す正面図である。
【図８】収納ケースを示す分解斜視図である。
【図９】収納ケースを示す分解側面断面図である。
【図１０】固定ユニットを示す分解斜視図である。
【図１１】固定ユニットを示す正面図, 左側面断面図, 上側面断面図である。
【図１２】パチンコ機を収納ボックスに収納する際のパチンコ機と収納ボックスと固定ユニットと下蓋とを示す側面断面図である。
【図１３】パチンコ機を収納ボックスに収納した後のパチンコ機と収納ボックスと固定ユニットと下蓋とを示す側面断面図である。
【図１４】収納ボックスを２個重ねた状態の側面断面図である。
【図１５】収納ボックスを２個重ね、上側の収納ボックスに上蓋を取り付けた状態の側面断面図である。
【符号の説明】
【００４９】
２  パチンコ機（弾球遊技機）
３  本体枠（本体部）
４  遊技盤
５  前面扉
６  供給皿（前面突出体）
７  パチンコ球（遊技球）
８  操作ハンドル（前面突出体）
９  貯留ユニット（前面突出体）
１５  貯留タンク（後面突出体）
１８  裏セットユニット（後面突出体）
２０  裏セット板（後面突出体）
３５  主制御回路装置（後面突出体）
３９  副制御回路装置（後面突出体）
５０  収納ケース
５１  収納ボックス（ケース本体）
５１ａ  平面板（底板）
５１ｂ  上周壁部（第１周壁部）
５１ｃ  下周壁部（第２周壁部）
５１ｄ  裏セットユニット挿通孔（挿通孔部）
５１ｅ  貯留タンク挿通孔（挿通孔部）
５１ｆ  載置面部
５１ｇ  係合凸部
５１ｈ  係合凹部
５１ｌ  第１雌ネジ（雌ネジ）
５１ｍ  第２雌ネジ（雌ネジ）
５２  上蓋（第１蓋部材）
５２ａ  挿入凹部（第１係合部）
５２ｃ  上蓋雌ネジ（雌ネジ）
５３  下蓋（第２蓋部材）
５３ａ  挿入凸部（第２係合部）
５３ｂ  下蓋雌ネジ（雌ネジ）
５４  固定ユニット（固定部）
５４ａ  固定板（本体板）
５４ｂ  ネジ周壁部
５４ｃ  蓋部（収納蓋部）
５４ｅ  ネジ挿通孔（雄ネジ挿通孔）
５４ｆ  第１対向壁
５４ｇ  第２対向壁
５４ｈ  第３対向壁
５４ｉ  第４対向壁
５４ｌ  ドライバ挿通孔（操作孔）
５５  挟持板（変位部材）
５６  コイルバネ（付勢部）
６１  ネジ（雄ネジ）
６２  ピン（回動軸）
【図１】
2006001596.tif 000003
【図２】
2006001596.tif 000004
【図３】
2006001596.tif 000005
【図４】
2006001596.tif 000006
【図５】
2006001596.tif 000007
【図６】
2006001596.tif 000008
【図７】
2006001596.tif 000009
【図８】
2006001596.tif 000010
【図９】
2006001596.tif 000011
【図１０】
2006001596.tif 000012
【図１１】
2006001596.tif 000013
【図１２】
2006001596.tif 000014
【図１３】
2006001596.tif 000015
【図１４】
2006001596.tif 000016
【図１５】
2006001596.tif 000017